(57)【要約】【課題】ユーザの過去の位置情報を元に現在位置からの移動先を予測し、システム外の情報提供事業者がユーザ個人の位置情報を直接参照することなく、その予測された行動に関係するニュースや交通情報、イベント情報などを通知できるようにする。【解決手段】移動端末２からの位置情報を受信し、その位置情報の履歴から移動端末２の行動パタン情報を生成する行動パタン生成装置１１と、移動端末２が所定の条件を満たすときに移動端末２に情報を通知したい情報提供事業者３から通知情報および通知条件を受信して管理する通知情報・通知条件管理装置１２と、行動パタン生成装置１１により生成される移動端末２の行動パタン情報から、移動端末２が次に移動する地点の候補を抽出する行動予測装置１３と、通知情報・通知条件管理装置１２の管理する通知情報から次に移動する地点の候補に合致する通知情報を選んで移動端末２に通知する情報通知装置１４とを有する。【選択図】図１
2010134762.tif 000002
【特許請求の範囲】
【請求項１】
移動端末からの位置情報を受信し、その位置情報の履歴から上記移動端末の行動パタン情報を生成する行動パタン生成装置と、
上記移動端末が所定の条件を満たすときに上記移動端末に情報を通知したい情報提供事業者から通知情報および通知条件を受信して管理する通知情報・通知条件管理装置と、
上記行動パタン生成装置により生成される上記移動端末の行動パタン情報から、上記移動端末が次に移動する地点の候補を抽出する行動予測装置と、
上記通知情報・通知条件管理装置の管理する通知情報から上記次に移動する地点の候補に合致する通知情報を選んで上記移動端末に通知する情報通知装置と
を有することを特徴とする情報通知システム。
【請求項２】
請求項１記載の情報通知システムにおいて、前記情報提供事業者から前記行動パタン生成装置へのアクセスは遮断されていることを特徴とする情報通知システム。
【請求項３】
請求項１または２記載の情報通知システムにおいて、前記行動予測装置は、前記次に移動する地点の候補として複数の地点を抽出することを特徴とする情報通知システム。
【請求項４】
請求項１から３のいずれか１項記載の情報通知システムにおいて、前記行動パタン生成装置は、前記移動端末が滞留する地点の頻度と滞留時間、および滞留地点間の経路の使用頻度と所要時間の情報を行動パタン情報として生成することを特徴とする情報通知システム。
【請求項５】
請求項１から４のいずれか１項記載の情報通知システムにおいて、前記通知情報・通知条件管理装置は、前記情報提供事業者から通知情報と通知条件に加え、前記移動端末からの通知情報および通知条件の登録を受け付けて管理することを特徴とする情報通知システム。
【請求項６】
請求項１から５のいずれか１項記載の情報通知システムにおいて、
前記行動パタン生成装置は、複数の移動端末についてそれぞれ行動パタン情報を生成し、
前記行動予測装置は、ある移動端末が次に移動する地点の候補を、他の移動端末に対して生成された行動パタン情報を利用して求める
ことを特徴とする情報通知システム。
【請求項７】
請求項１から６のいずれか１項記載の情報通知システムにおいて、
前記行動パタン生成装置は、前記行動パタン情報としてウェブ閲覧履歴および購買履歴を含む情報を生成し、
前記行動予測装置は、ウェブ閲覧および購買行動について次の行動の候補を予測し、
前記情報通知装置は、上記次の行動の候補に合致する通知情報を選んで通知する
ことを特徴とする情報通知システム。
【請求項８】
移動端末からの位置情報を受信し、
その位置情報の履歴から上記移動端末の行動パタン情報を生成し、
上記移動端末が所定の条件を満たすときに上記移動端末に情報を通知したい情報提供事業者から通知情報および通知条件を受信して管理し、
上記行動パタン情報から、上記移動端末が次に移動する地点の候補を抽出し、
上記通知情報から上記次に移動する地点の候補に合致する情報を選んで上記移動端末に通知する
ことを特徴とする情報通知方法。
【請求項９】
情報処理装置を、
移動端末からの位置情報を受信し、その位置情報の履歴から上記移動端末の行動パタン情報を生成する行動パタン生成手段、
上記移動端末が所定の条件を満たすときに上記移動端末に情報を通知したい情報提供事業者から通知情報および通知条件を受信して管理する通知情報・通知条件管理手段、
上記行動パタン生成手段で生成される上記移動端末の行動パタン情報から、上記移動端末が次に移動する地点の候補を抽出する行動予測手段、および
上記通知情報・通知条件管理手段で管理する通知情報から上記次に移動する地点の候補に合致する通知情報を選んで上記移動端末に通知する情報通知手段
として機能させるためのプログラム。
【発明の詳細な説明】
【技術分野】
【０００１】
本発明は、情報通知システム、情報通知方法およびプログラムに関する。
【背景技術】
【０００２】
近年、ＧＰＳ機能付きの携帯電話やカーナビゲーションシステムの普及により、個人の位置情報を定期的に取得できる環境が整いつつある。現在のところ位置情報を活用する技術としては、道案内や周辺地図表示など現在地点の情報のみを使用するものが主流である。しかし、経済産業省が２００７年度から手がけている『情報大航海プロジェクト』で位置情報を使った技術開発が進められ、２００８年には米Ｙａｈｏｏ！（登録商標）が位置情報のプラットフォームを公開するなど、位置情報の履歴を使って、ユーザや、事業者に利便性を提供する技術はこれから急速に発展していくことが予想される。
【０００３】
位置情報履歴を使った技術の一例が、特許文献１、特許文献２および特許文献３にそれぞれ記載されている。特許文献１に記載の技術は、車両から取得した位置情報と、代表的なトラフィックパターンとから、渋滞状況を予測し、車両に渋滞情報を提供するものである。特許文献２に記載の技術は、検索対象のユーザの行動パタンを学習し、ユーザが徘徊や迷子などの通常の行動パタンとは異なった行動を取った際に、関係者（保護者など）に通知を行うようにするものである。特許文献３に記載の技術は、位置情報から移動頻度を出力とする移動頻度モデルを推定するものである。
【０００４】
また、位置情報履歴を用いるものではないが、特許文献４には、利用者が入力した移動プランにしたがって利用者携帯端末の位置を予測し、その移動位置に関連するコンテンツを利用者携帯端末に配信することが記載されている。
【特許文献１】特開２００７−３３４４０４号公報
【特許文献２】特開２００４−０３２５７５号公報
【特許文献３】特開２００６−３３１３４０号公報
【特許文献４】特開２００６−３５０７３５号公報
【特許文献５】特開２００２−２１５６６８号公報
【発明の開示】
【発明が解決しようとする課題】
【０００５】
しかし、関連する技術では、ユーザ個人の位置情報を長期間にわたり取得することを前提としたものは少なく、ユーザ個人の行動予測を行うにあたり、ユーザのプロファイルに応じた一般的な行動の傾向などのマス情報を加味するものが多かった。また、プライバシ情報保護の観点からユーザ個人の位置情報履歴をシステム外の事業者に提供することは難しいが、関連する技術では、システム外の情報提供事業者が、ユーザ個人の位置情報履歴を直接参照することなく、ユーザの位置情報履歴を使った行動予測の結果を利用することはできない。
【０００６】
本発明は、このような課題を解決し、ユーザの過去の位置情報を元に現在位置からの移動先を予測し、システム外の情報提供事業者がユーザ個人の位置情報を直接参照することなく、その予測された行動に関係するニュースや交通情報、イベント情報などを通知できる情報通知システム、情報通知方法およびプログラムを提供することを目的とする。
【課題を解決するための手段】
【０００７】
本発明の第１の観点によると、移動端末からの位置情報を受信し、その位置情報の履歴から移動端末の行動パタン情報を生成する行動パタン生成装置と、移動端末が所定の条件を満たすときに移動端末に情報を通知したい情報提供事業者から通知情報および通知条件を受信して管理する通知情報・通知条件管理装置と、行動パタン生成装置により生成される移動端末の行動パタン情報から、移動端末が次に移動する地点の候補を抽出する行動予測装置と、通知情報・通知条件管理装置の管理する通知情報から次に移動する地点の候補に合致する通知情報を選んで移動端末に通知する情報通知装置とを有することを特徴とする情報通知システムが提供される。
【０００８】
本発明の第２の観点によると、移動端末からの位置情報を受信し、その位置情報の履歴から移動端末の行動パタン情報を生成し、移動端末が所定の条件を満たすときに移動端末に情報を通知したい情報提供事業者から通知情報および通知条件を受信して管理し、行動パタン情報から、移動端末が次に移動する地点の候補を抽出し、通知情報から次に移動する地点の候補に合致する情報を選んで移動端末に通知することを特徴とする情報通知方法が提供される。
【０００９】
本発明の第３の観点によると、情報処理装置を、移動端末からの位置情報を受信し、その位置情報の履歴から移動端末の行動パタン情報を生成する行動パタン生成手段、移動端末が所定の条件を満たすときに移動端末に情報を通知したい情報提供事業者から通知情報および通知条件を受信して管理する通知情報・通知条件管理手段、行動パタン生成手段で生成される移動端末の行動パタン情報から、移動端末が次に移動する地点の候補を抽出する行動予測手段、および通知情報・通知条件管理手段で管理する通知情報から次に移動する地点の候補に合致する通知情報を選んで移動端末に通知する情報通知手段として機能させるためのプログラムが提供される。
【発明の効果】
【００１０】
本発明によれば、移動端末の位置情報履歴からその移動端末のユーザの行動の傾向を抽出し、予測されるユーザの次の行動に対応して、情報提供事業者からの最適な情報をユーザに提供することができる効果が得られる。情報提供事業者にとっては、ユーザの位置情報履歴を参照することなく、ユーザが次に向かう目的地に関する情報をそのユーザに通知することできる利点がある。一方、ユーザにとっては、自身の位置情報履歴を事業者に開示することなく、必要な目的地の情報だけを自動的に受け取ることができる利点がある。
【発明を実施するための最良の形態】
【００１１】
以下、本発明の実施の形態について、図を参照しながら説明する。
【００１２】
［第１の実施の形態］
図１は本発明の第１の実施の形態に係る構成を示すブロック構成図であり、情報通知システム１と、この情報通知システム１を利用する移動端末２および情報提供事業者３との構成を示す。ここでは、情報通知システム１が、移動端末２および情報提供事業者３のいずれとも別の場所に、センタ装置として設置されるものとして説明する。
【００１３】
図１に示す情報通知システム1は、行動パタン生成装置１１、通知情報・通知条件管理装置１２、行動予測装置１３および情報通知装置１４を備える。行動パタン生成装置１１は、移動端末２からの位置情報を受信し、その位置情報の履歴から移動端末２（厳密にはその移動端末２を使用するユーザ）の行動パタン情報を生成する。通知情報・通知条件管理装置１２は、移動端末２が所定の条件を満たすときに移動端末２（を使用するユーザ）に情報を通知したい情報提供事業者から通知情報および通知条件を受信して管理する。行動予測装置１３は、行動パタン生成装置１１により生成されるユーザの行動パタン情報から、移動端末２が次に移動する地点の候補を抽出する。情報通知装置１４は、通知情報・通知条件管理装置１２の管理する通知情報から次に移動する地点の候補に合致する通知情報を選んで、移動端末２に通知する。情報提供事業者３から通知情報・通知条件管理装置１２への通知は可能であるが、情報提供事業者３から情報通知システム１内の他の部分、特に行動パタン生成装置１１へのアクセスは遮断されている。
【００１４】
［動作の詳しい説明］
図２は、図１に示す情報通知システム１中の行動パタン生成装置１１の動作のフローチャートである。移動端末２は、定期的にユーザの位置情報を取得して、行動パタン生成装置１１に送信する。行動パタン生成装置１１は、定期的にユーザの位置情報を取得し（ステップＳ１１）、ユーザの位置情報履歴からそのユーザの行動パタンを生成し（ステップＳ１２）、内部の記憶装置（図示せず）に記録する。具体的には、一定時間以上同じ場所に留まった場所（「滞留地点」という）と時間、滞留地点間の移動経路および所要時間を抽出し、滞留地点ごとの滞留頻度と平均滞留時間、および滞留地点間の移動経路の利用頻度と平均所要時間について、行動パタンとして記録する。
【００１５】
図３は図１に示す情報通知システム１中の通知情報・通知条件管理装置１２の動作のフローチャートである。通知情報・通知条件管理装置１２は、通知する情報の内容、通知する場所、時間帯、性別などのユーザのプロファイル条件を情報提供事業者３から受け付け、内部の記憶装置（図示せず）に登録する（ステップＳ２１）。
【００１６】
図４は図１に示す情報通知システム１中の行動予測装置１３および情報通知装置１４の動作のフローチャートである。行動予測装置１３は、移動端末２から送られてくるユーザの現在位置と時刻と、行動パタン生成装置１１に登録されているユーザの行動パタンの情報を基に、ユーザの次の移動先の候補を１ないし複数検索する（ステップＳ３１）。情報通知装置１４は、行動予測装置１３による移動先候補の検索が終わると、通知情報・通知条件管理装置１２に登録されている情報から、移動先候補に合致する情報を検索する（ステップＳ３２）。この際、性別などのユーザのプロファイルに関する通知条件もチェックする。情報通知装置１４は、通知情報検索により抽出された情報を移動端末２に送信する（ステップＳ３３）。
【００１７】
[行動パタンの生成例]
図５および図６は、位置情報履歴からの行動パタン情報の生成を説明する図である。図５はユーザの移動範囲に関する地図とその地図上の位置情報とを示し、図６はその位置情報の履歴から生成された行動パタン情報の例を示す。図５に示す地図は、自宅１０１、勤務先１０２、客先１０３および寄り道１０４と、その間を結ぶ自宅最寄駅１１１、勤務先最寄駅１１２および客先最寄駅１１３からなる。図５の×印は、行動パタン生成装置１１が収集した位置情報の位置を表す。行動パタン生成装置１１は、図５に示す位置情報の場所と時刻から、滞留地点の滞留回数・移動経路の利用回数をカウントすることで、図６に示す行動パタンを得ることができる。
【００１８】
図６に示す行動パタン情報は、滞留地点として、自宅１０１、勤務先１０２、客先１０３および寄り道１０４を含む。図６では、各滞留地点の枠線の太さで滞留回数を表す。また、この行動パタン情報は、自宅１０１から勤務先１０２への経路２０１、寄り道１０４から自宅への経路２０２、勤務先から寄り道への経路２０３、勤務先から直接自宅１０１への経路２０４、勤務先１０２から客先１０３への経路２０５および客先から自宅１０１への経路２０６を含む。図６の矢印が方向を示し、線の太さが使用頻度の高さを表す。
【００１９】
[通知情報の選択例]
図７は通知情報の選択例を説明する図である。行動予測装置１３が、ユーザの現在位置と行動パタンから、２つの移動先の候補７０１、７０２を見つけているとする。候補７０１は滞留地点Ａであり、滞留回数が４回、平均滞留時間が３時間であるとする。また、候補７０２は滞留地点Ｂであり、滞留回数が１０回、平均滞留時間が３時間であるとする。一方、通知情報・通知条件管理装置１２には、滞留地点Ａに関係するある通知情報の通知条件７０３として、「滞留回数１回以上、経路使用回数２回以上」が登録され、留地点Ｂに関係するある通知情報の通知条件７０４として、「平均滞留時間２時間以上」が登録されている。このとき、通知条件が合致するのは通知条件７０４だけであり、この場合は通知条件７０４の情報がユーザの移動端末２に通知される。
【００２０】
［本実施の形態の効果］
本実施の形態によれば、情報提供事業者３は、ユーザの位置情報履歴を参照することなく、ユーザの次に向かう目的地に関する情報をユーザに対して通知できる。情報提供事業者３には顧客にタイムリーにサービスの情報を知らせることができるメリットがあり、ユーザにとっては、自身の位置情報履歴を情報提供事業者３に開示することなく、必要な目的地の情報だけを自動的に受け取れるメリットがある。
【００２１】
また、目的地の候補は通常複数挙げられ、目的地の候補それぞれの情報がユーザに通知される。このため、ユーザが当初予定していた目的地以外の候補でユーザにとって魅力的な情報が通知された場合、ユーザが予定を変更する可能性もある。その場合、情報提供事業者３にとっては、顧客の行動誘起の効果、ユーザにとっては、自分自身では探すことも思い至らなかった本来の目的地以外の情報を得られる効果がある。
【００２２】
［第２の実施の形態］
図８は本発明の第２の実施の形態に係る構成を示すブロック構成図であり、情報通知システム１と、この情報通知システム１を利用する移動端末２および情報提供事業者３との構成を示す。この実施の形態は、通知情報・通知条件管理装置１２が、情報提供事業者３から通知情報と通知条件に加え、移動端末２からの通知情報および通知条件の登録を受け付けて管理することが、第１の実施の形態と異なる。すなわち、ユーザが通知して欲しいイベント情報などを、ユーザ自ら、移動端末２から通知情報・通知条件管理装置１２に登録できる。
【００２３】
この実施の形態によれば、実際にユーザが登録した情報の関連する地点に向かう可能性が出たときに、登録された情報がユーザ通知される。これにより、ユーザの当該情報の失念による機会損失を、ユーザ自身で防ぐことができるようになる。
【００２４】
［第３の実施の形態］
図９は本発明の第３の実施の形態に係る構成を示すブロック構成図であり、情報通知システム１と、この情報通知システム１を利用する移動端末２−１、２−２および情報提供事業者３との構成を示す。上述の実施の形態では、説明を簡単にするため、情報通知システム１が情報通知を行う対象を１つの移動端末２としていた。実際には、複数の移動端末に対して情報通知を行うことができる。図９では、複数の移動端末のうち２つの移動端末２−１、２−２を示す。
【００２５】
この実施の形態において、行動パタン生成装置１１、行動予測装置１３および情報通知装置１４は、移動端末２−１、２−２のそれぞれに対して、行動パタン情報の生成、次に移動する地点の候補の抽出、および通知情報の選択、通知を行う。また、行動予測装置１３は、例えば移動端末２−１が次に移動する地点の候補を、他の移動端末２−２に対して生成された行動パタン情報を利用して求めることができる。
【００２６】
例えば、移動端末２−１が初めて訪れた場所においては、その地点から出発する経路の記録が無いため、行動予測装置１３は移動先の候補を抽出することはできない。そこで、本実施の形態では、既にその地点を訪れている他の移動端末２−２の行動パタン情報を利用して、移動端末２−１の移動先の候補を生成する。これより、他のユーザが訪れた場所であれば、初めての場所でも移動先の候補を抽出できるようになる。
【００２７】
［第４の実施の形態］
図１０は本発明の第４の実施の形態に係る構成を示すブロック構成図であり、情報通知システム１と、この情報通知システム１を利用する移動端末２および情報提供事業者３との構成を示す。この実施の形態では、移動端末２は、位置情報に加え、ウェブ閲覧情報および購買情報を行動パタン生成装置１１に送信する。行動パタン生成装置１１は、受信したウェブ閲覧情報および購買情報からそれぞれの履歴を含む行動パタン情報を生成する。行動予測装置１３は、移動端末２が次に移動する地点の候補に加え、ウェブ閲覧および購買行動について次の行動の候補を予測する。情報通知装置は、次の行動の候補に合致する通知情報を選んで移動端末２に通知する。
【００２８】
この実施の形態では、位置情報だけでなく、Ｗｅｂ参照履歴や購買情報など位置情報以外の情報も行動パタンの中に含む。これにより、目的地への移動だけでなく、これから参照するウェブや、これから購買するものについても、行動予測装置１３が候補を抽出することができる。また、目的地への移動とこれから購買するものの予測を組み合わせ、これから移動する先で購買する物品を推測することもできる。これにより、情報提供事業者３はよりユーザの次の行動に即した情報をユーザに通知できるようになる。
【００２９】
［その他の実施の形態］
以上、本発明の実施の形態に係る情報通知システムについて説明したが、本発明は要旨を変更しない限り種々変更実施できる。行動パタン生成装置１１、通知情報・通知条件管理装置１２、行動予測装置１３および情報通知装置１４を別々の装置として示したが、これらはそれぞれ、プロセッサおよびメモリを備えた別々のコンピュータにより実施することもでき、１つのコンピュータでプログラムとして実施することもできる。また、情報通知システム１をセンタ装置として設置し複数の移動端末２に対する情報の通知を行うのではなく、可搬型のコンピュータに搭載して、あるいは移動端末２に内蔵して、１台の移動端末２に対する情報の通知を制御する構成とすることもできる。
【図面の簡単な説明】
【００３０】
【図１】本発明の第１の実施の形態に係る構成を示すブロック構成図であり、情報通知システムと、この情報通知システムを利用する移動端末および情報提供事業者との構成を示す。
【図２】図１に示す情報通知システム中の行動パタン生成装置の動作のフローチャートである。
【図３】図１に示す情報通知システム中の通知情報・通知条件管理装置の動作のフローチャートである。
【図４】図１に示す情報通知システム中の行動予測装置および情報通知装置の動作のフローチャートである。
【図５】位置情報履歴からの行動パタン情報の生成を説明する図であり、ユーザの移動範囲に関する地図とその地図上の位置情報とを示す。
【図６】位置情報履歴から生成される行動パタン情報の一例を示す図である。
【図７】通知情報の選択例を説明する図である。
【図８】本発明の第２の実施の形態に係る構成を示すブロック構成図であり、情報通知システムと、この情報通知システムを利用する移動端末および情報提供事業者との構成を示す。
【図９】本発明の第３の実施の形態に係る構成を示すブロック構成図であり、情報通知システムと、この情報通知システムを利用する移動端末および情報提供事業者との構成を示す。
【図１０】本発明の第４の実施の形態に係る構成を示すブロック構成図であり、情報通知システムと、この情報通知システムを利用する移動端末および情報提供事業者との構成を示す。
【符号の説明】
【００３１】
１  情報通知システム
２、２−１、２−２  移動端末
３  情報提供事業者
１１  行動パタン生成装置。
１２  通知情報・通知条件管理装置
１３  行動予測装置
１４  情報通知装置
【図１】
2010134762.tif 000003
【図２】
2010134762.tif 000004
【図３】
2010134762.tif 000005
【図４】
2010134762.tif 000006
【図５】
2010134762.tif 000007
【図６】
2010134762.tif 000008
【図７】
2010134762.tif 000009
【図８】
2010134762.tif 000010
【図９】
2010134762.tif 000011
【図１０】
2010134762.tif 000012